(57)【要約】【課題】一商取引により発行されたレシートを使用して購入商品の管理を容易に行いたいとの要望が存在する。【解決手段】商品コードを入力する入力部と、商品毎に前記商品コードと当該商品コードに対応する商品の単価と特定商品であるか否かを示す識別子を対応づけて記憶する商品テーブルと、商品テーブルから前記商品コードに対応付けられた単価及び識別子を取得する取得手段と、入力部で入力した商品コードと前記取得手段により取得した単価とを記憶部の第１メモリ領域に記憶する第１記憶手段と、取得手段で取得した識別子に基づいて、入力部で入力した商品コードを前記記憶部の第２メモリ領域に記憶するか否かを判定する判定手段と、第２メモリ領域に記憶すると判定された場合、入力部で入力した商品コードを前記第２メモリ領域に記憶する第２記憶手段と、記憶部に記憶された情報を第１レシート、第２レシートに印字する印字部と、を備える。【選択図】図６
2014067325.tif 000002
【特許請求の範囲】
【請求項１】
商品コードを入力する入力部と、
商品毎に前記商品コードと当該商品コードに対応する商品の単価と特定商品であるか否かを示す識別子をそれぞれ対応づけて記憶する商品テーブルと、
前記入力部により入力された商品コードで前記商品テーブルを検索し、当該商品テーブルから前記商品コードに対応付けられた単価及び識別子を取得する取得手段と、
前記入力部で入力した商品コードと前記取得手段により取得した単価とを記憶部の第１メモリ領域に記憶する第１記憶手段と、
前記取得手段で取得した識別子に基づいて、前記入力部で入力した商品コードを前記記憶部の第２メモリ領域に記憶するか否かを判定する判定手段と、
当該判定手段で前記記憶部の第２メモリ領域に記憶すると判定された場合、前記入力部で入力した商品コードを前記記憶部の第２メモリ領域に記憶する第２記憶手段と、
前記第１メモリ領域に記憶された商品コード及び単価を第１レシートとして印字し、前記第２メモリ領域に記憶された商品コードを第２レシートにて印字する印字部と、
を備えることを特徴とする商品販売データ処理装置。  
【請求項２】
前記記憶部の第２メモリ領域に記憶された前記商品コードに対応する商品の消費期限に関する情報に基づいて、現在日時から消費期限が近い順に並び替える並び替え手段と、をさらに備え、
前記印字部は、前記並び替え手段により並び替えた情報に基づいて第２レシートに印字することを特徴とする請求項１記載の商品販売データ処理装置。
【請求項３】
前記第２記憶手段は、前記記憶部の第２メモリ領域に記憶された商品コードに対応する商品の数量をさらに記憶し、
前記印字部は、前記第２レシートに前記商品コード及び当該商品コードに対応する商品の数量を併せて印字することを特徴とする請求項１又は２記載の商品販売データ処理装置。  
【請求項４】
前記第２記憶手段は、前記記憶部の第２メモリ領域に記憶された商品コードに対応する商品の消費期限をさらに記憶し、
前記印字部は、前記第２レシートに前記商品コード及び当該商品コードに対応する商品の消費期限を併せて印字することを特徴とする請求項１乃至３のいずれか一つに記載の商品販売データ処理装置。
【請求項５】
前記印字部は、前記第１レシートを先に印字発行し、続いて第２レシートを印字発行することを特徴とする請求項１乃至４のいずれか一つに記載の商品販売データ処理装置。
【請求項６】
商品コードを入力する入力部と、商品毎に前記商品コードと当該商品コードに対応する商品の単価と特定商品であるか否かを示す識別子をそれぞれ対応づけて記憶する商品テーブルと、レシートを印字する印字部と、を備えた商品販売データ処理装置のコンピュータに、
前記入力部により入力された商品コードで前記商品テーブルを検索し、当該商品テーブルから前記商品コードに対応付けられた単価及び識別子を取得する機能と、
前記入力部で入力した商品コードと前記取得する機能により取得した単価とを記憶部の第１メモリ領域に記憶する第１記憶機能と、
前記取得した識別子に基づいて、前記入力部で入力した商品コードを前記記憶部の第２メモリ領域に記憶するか否かを判定する機能と、
前記記憶部の第２メモリ領域に記憶すると判定された場合、前記入力部で入力した商品コードを前記記憶部の第２メモリ領域に記憶する第２記憶機能と、
前記印字部に前記第１メモリ領域に記憶された商品コード及び単価を第１レシートとして印字させ、前記第２メモリ領域に記憶された商品コードを第２レシートにて印字させる機能と、
を実現させるプログラム。    
【発明の詳細な説明】
【技術分野】
【０００１】
本発明の実施形態は、電子式キャッシュレジスタやＰＯＳ（Ｐｏｉｎｔ−ｏｆ−Ｓａｌｅ）端末等の商品販売データ処理装置に関する。
【背景技術】
【０００２】
電子式キャッシュレジスタやＰＯＳ端末等の商品販売データ処理装置は、顧客が購入する商品について商品登録を行い、一商取引の締めが宣言された後に、この一商取引に係る商品名称、単価、取引合計金額、釣銭額等の取引明細を印字したレシートを発行する。客は、このレシートを保管することで取引後においても購入商品について把握することができる。
【０００３】
ところで、客が非常食用に長期保存が可能な商品を購入し、この購入商品の管理を行う場合は、別途、メモ帳やＰＣ等を利用して記録管理を行う必要が生じていた。このため、一商取引により発行されたレシートを使用して、購入商品の管理を容易に行いたいとの要望が存在する。
【先行技術文献】
【特許文献】
【０００４】
【特許文献１】特開２００６−１３４１２１号公報
【発明の概要】
【発明が解決しようとする課題】
【０００５】
かかる事情を鑑みて、本発明の実施形態が解決しようとする課題は、一商取引により発行されたレシートを使用して購入商品の管理を容易にすることにある。
【課題を解決するための手段】
【０００６】
本実施形態の商品販売データ処理装置は、商品コードを入力する入力部と、商品毎に前記商品コードと当該商品コードに対応する商品の単価と特定商品であるか否かを示す識別子をそれぞれ対応づけて記憶する商品テーブルと、前記入力部により入力された商品コードで前記商品テーブルを検索し、当該商品テーブルから前記商品コードに対応付けられた単価及び識別子を取得する取得手段と、前記入力部で入力した商品コードと前記取得手段により取得した単価とを記憶部の第１メモリ領域に記憶する第１記憶手段と、前記取得手段で取得した識別子に基づいて、前記入力部で入力した商品コードを前記記憶部の第２メモリ領域に記憶するか否かを判定する判定手段と、当該判定手段で前記記憶部の第２メモリ領域に記憶すると判定された場合、前記入力部で入力した商品コードを前記記憶部の第２メモリ領域に記憶する第２記憶手段と、前記第１メモリ領域に記憶された商品コード及び単価を第１レシートとして印字し、前記第２メモリ領域に記憶された商品コードを第２レシートにて印字する印字部と、を備える。
【０００７】
本実施形態のプログラムは、商品コードを入力する入力部と、商品毎に前記商品コードと当該商品コードに対応する商品の単価と特定商品であるか否かを示す識別子をそれぞれ対応づけて記憶する商品テーブルと、レシートを印字する印字部と、を備えた商品販売データ処理装置のコンピュータに、前記入力部により入力された商品コードで前記商品テーブルを検索し、当該商品テーブルから前記商品コードに対応付けられた単価及び識別子を取得する機能と、前記入力部で入力した商品コードと前記取得する機能により取得した単価とを記憶部の第１メモリ領域に記憶する第１記憶機能と、前記取得した識別子に基づいて、前記入力部で入力した商品コードを前記記憶部の第２メモリ領域に記憶するか否かを判定する機能と、前記記憶部の第２メモリ領域に記憶すると判定された場合、前記入力部で入力した商品コードを前記記憶部の第２メモリ領域に記憶する第２記憶機能と、前記印字部に前記第１メモリ領域に記憶された商品コード及び単価を第１レシートとして印字させ、前記第２メモリ領域に記憶された商品コードを第２レシートにて印字させる機能と、を実現させるプログラム。
【図面の簡単な説明】
【０００８】
【図１】本実施形態の電子式キャッシュレジスタの外観を示す斜視図。
【図２】本実施形態の電子式キャッシュレジスタが備える制御回路の構成を示すブロック図。
【図３】本実施形態の商品テーブルのデータ構造を示す図。
【図４】本実施形態の売上取引テーブルのデータ構造を示す図。
【図５】本実施形態の特定商品テーブルのデータ構造を示す図。
【図６】本実施形態のＣＰＵが実行する処理を示したフローチャート。
【図７】本実施形態のプリンタから印字出力される第１レシートの一例を示す図。
【図８】本実施形態のプリンタから印字出力される第２レシートの一例を示す図。
【発明を実施するための形態】
【０００９】
以下、添付図面を参照して、本発明の実施形態に係る商品販売データ処理装置を詳細に説明する。なお、本実施形態に係る商品販売データ処理装置は、店舗に設置されて会計処理等に使用される電子式キャッシュレジスタを例として説明する。
【００１０】
図１は電子式キャッシュレジスタ１の外観を示す斜視図である。電子式キャッシュレジスタ１は、その前面手前側にキーボード２とモードスイッチ３の入力部を有する。また、その前面後方にオペレータ用の表示器４と顧客用の表示器５とを有する。さらに、レシート用紙に印字を行うためのプリンタ６を内蔵する。このプリンタ６によって印刷されたレシート用紙をレシート発行口７から排出する。また、電子式キャッシュレジスタ１ は、釣銭等を収容するためのドロワ８を有する。
【００１１】
キーボード２は、「００」、「０」〜「９」の置数キー、クリアキー、複数の部門コードがプリセットされるプリセット部門キー、複数のＰＬＵ（Ｐｒｉｃｅ  Ｌｏｏｋ  Ｕｐ）コードがプリセットされるプリセットＰＬＵキー、小計キー、預／現計キー、乗算を示す「×」キー、部門キー、ＰＬＵキー等の各種ファンクションキーが設けられている。       
【００１２】
モードスイッチ３は、「登録」、「点検」、「精算」、「設定」等の各種業務モードを選択するための切替式のスイッチである。なお、「登録」とは、キーボード２のキー操作により入力された販売商品のＰＬＵコードまたは部門コードに基づいてその商品の販売点数、販売金額等の商品販売データを販売登録する業務のモードである。「点検」とは、「登録」によって商品コードまたは部門コード等の項目別に集計された各商品の売上データをプリンタ６によりレシート用紙に印刷する業務のモードである。「精算」とは、「点検」と同様に項目別に集計された各商品の売上データをプリンタ６によりレシート用紙に印刷した後、メモリ上で集計されたデータをクリアする業務のモードである。
【００１３】
図２は電子式キャッシュレジスタ１が備える制御回路の構成を示すブロック図である。電子式キャッシュレジスタ１は、制御部本体としてＣＰＵ（Central Processing Unit）４１を有する。また、プログラム等の固定的データが予め格納されたＲ Ｏ Ｍ（Read Only Memory）４２、可変的なデータを記憶するための各種メモリエリア等が形成されたＲＡＭ（Random Access Memory）４３、現在の日付及び時刻を計時する時計部４４、モードスイッチ３の信号が入力されるポートとドロワ８への開放指令信号が出力されるポートとを有するＩ／Ｏ（Input／Output）ポート４５、前記キーボード２から操作キーに対応したキー信号が入力されるキーボードコントローラ４６、前記オペレータ用表示器４に表示データに対応した文字， 数字等を表示させる表示コントローラ４７、前記客用表示器５に表示データに対応した文字，数字等を表示させる表示コントローラ４８、前記プリンタ６による印字動作を制御するプリンタコントローラ４９等を備えている。ＣＰＵ４１と、ＲＯＭ ４２，ＲＡＭ４３，時計部４４、Ｉ／Ｏポート４５及び各種入出力機器のコントローラ４６〜４９とは、アドレスバス，データバス等のバスラインで接続されている。
【００１４】
なお、ＲＡＭ４３は、後述する商品テーブル４３１、売上取引テーブル４３２、特定商品テーブル４３３を備える。
【００１５】
図３は、ＲＡＭ４３が有する商品テーブル４３１のデータ構造を示す図である。
商品テーブル４３１は、各商品にそれぞれ設定された商品コードに対応して、その商品コードが設定された商品の名称である商品名称、その商品１点あたりの価格を示す単価、及びその商品が属する部門コードであるリンク部門の各データが設定されている。さらに、この商品テーブル４３１は、商品毎に商品購入後の長期間の保存を主目的とした非常食であるか否かを示す特定商品に関する識別子（以下、特定商品フラグと称する）が“０”又は“１”にて設定されている。ここで、識別子“０”は、非常食に該当しないことを示し、識別子“１”は、非常食に該当することを示している。なお、特定商品フラグが、“１”に設定されている商品は、後述する非常食リストを示す第２レシートにてレシート印字される対象の商品となる。また、商品テーブル４３１は、識別子“１”が付されている商品に関する消費期限が併せて設定されている。
【００１６】
なお、「特定商品」に該当する商品の例は、例えば、カップ麺等のインスタント食品、加工され加熱等により殺菌されたレトルト食品、缶詰、飲料水等である。ここで、例えば、部門「０１」は、インスタント食品を示す部門、部門、「０２」は、レトルト食品を示す部門、「０３」は、缶詰を示す部門、部門「０４」は、「飲料水」を示す部門、部門「０５」は、野菜を示す部門、部門「０６」は、惣菜を示す部門、部門「０７」は、菓子類を示す部門、部門「０８」は、書籍を示す部門、として以降、説明する。
【００１７】
商品テーブル４３１の構造について詳細に説明する。商品コード「０００１」の商品には、商品名称「商品Ａ」、部門「０１」、単価「２５０円」、特定商品フラグ「１」、消費期限「２０１３０５０１」がそれぞれ対応付けて記憶されている。以下、同様に商品コード「０００２」の商品には、商品名称「商品Ｂ」、部門「０２」、単価「３３０円」、特定商品フラグ「１」、消費期限「２０１３０５０１」がそれぞれ対応付けて設定されている。その他の商品についても上記と同様に設定されている。すなわち、商品コードに対応させて商品名称、部門、単価がそれぞれ設定され、かつ、特定商品に該当する商品（言い換えると第２のレシートの印字対象とする商品）には、特定商品であることを示す識別子「１」が設定されるとともに当該商品の消費期限が予め記憶されている。
【００１８】
図４は、ＲＡＭ４３が有する売上取引テーブル４３２のデータ構造を示す図である。一商取引において顧客により購入された商品が、この売上取引テーブル４３２に記憶される。具体的には、売上取引テーブル４３２には、商品コード、商品名称、単価、部門、売上点数、売上金額の各種情報がそれぞれ記憶される。
【００１９】
図４は、顧客により購入された商品として、売上取引テーブル４３２に、商品コード「０００１」、単価「２５０円」の商品名称「商品Ａ」が２点購入され、かつ、この一商取引での「商品Ａ」の売上金額が「５００円」であることが記憶されている。さらに、商品名称「商品Ｃ」が「５点」、商品名称「商品Ｄ」が「３点」、商品名称「商品Ｅ」が「３点」、商品名称「商品Ｈ」が「１点」、それぞれ購入されたことが売上取引テーブル４３２に記憶されている。
【００２０】
図５は、ＲＡＭ４３が有する特定商品テーブル４３３のデータ構造を示す図である。特定商品テーブル４３３は、顧客により購入された商品のうち、商品テーブル４３１にて、特定商品フラグが“１”として設定されている商品について、売上取引テーブル４３１とは、異なるメモリ領域に記憶させたものである。特定商品テーブル４３３は、部門コード、商品コード、購入数量、商品の消費期限を商品毎に記憶する。
【００２１】
具体的には、商品コード「０００１」の商品について、部門コード「０１」、数量「２個」、商品期限「２０１３０５０１」の各種情報と共に記憶されている。また、商品コード「０００３」の商品について、部門コード「０３」、数量「５個」、商品期限「２０１５０８０１」が記憶され、商品コード「０００４」の商品について、部門コード「０４」、数量「３個」、商品期限「２０１４０６０１」の情報が記憶されている。なお、この特定商品テーブル４３３に記憶された各商品に関するデータは、後述する非常食リストを示す第２レシートに印字される内容である。
【００２２】
図６は、ＣＰＵ４１が実行する制御の流れを示すフローチャートである。
ＣＰＵ４１は、店員の操作によりバーコードスキャナのスキャン入力又はキーボードの置数により商品コードが入力されることを待機する（Ａｃｔ６０１）。ＣＰＵ４１は、商品コードが入力されたことを検出すると（Ａｃｔ６０１のＹ）、この入力された商品コードで商品ファイル４３１を検索し、商品ファイル４３１に格納されている当該商品コードに対応して設定されている商品名称、単価等の商品データを取得する（Ａｃｔ６０２）。ＣＰＵ４１は、取得した商品コード、商品名称、単価を売上取引テーブル４３２に記憶する（Ａｃｔ６０３）。
【００２３】
次に、ＣＰＵ４１は、Ａｃｔ６０１にて入力された商品コードで商品ファイル４３１を検索し、商品ファイル４３１の当該入力された商品コードに対応する特定商品ステータスが“１”となっているか否か判断する（Ａｃｔ６０４）。なお、ここでの特定商品識別子とは、例えば、非常食とされる特定商品に該当するか否かを示す情報であり、この特定商品識別子が“１”と設定される商品は、非常食であるとＣＰＵ４１に認識されるとともに、図５に示す特定商品テーブル４３３に当該商品コード、商品名称等の商品データを記憶する対象となる。  
【００２４】
Ａｃｔ６０４にて、ＣＰＵ４１は、特定商品識別子が“１”となっていると判断した場合（Ａｃｔ６０４のＹ）、特定商品テーブル４３３に商品コード、この商品コードに対応する部門、商品名称、数量、消費期限等の各種情報を記憶する（Ａｃｔ６０５）。
【００２５】
次に、ＣＰＵ４１は、小計キーが入力されたか否かを待機する（Ａｃｔ６０６）。小計キーが入力されることなく（Ａｃｔ６０６のＮ）、続けて商品コードの入力がされた場合（Ａｃｔ６０１のＹ）、再度、Ａｃｔ６０２の処理に戻り、入力された商品コードで商品ファイル４３１の検索を実行し、商品ファイル４３１から商品コードに対応する商品名称、単価等の各種情報を取得する。なお、この場合、既に売上取引テーブル４３２に同一の商品コードが記憶されていた場合、売上取引テーブル４３２内の対応する商品コードの数量のみを加算して記憶する（Ａｃｔ６０３）。
【００２６】
また、Ａｃｔ６０４以降における処理についても、先の説明と同様であり、Ａｃｔ６０５における処理についても、既に特定商品テーブル４３３に同一の商品コードが記憶されていた場合、特定商品テーブル４３３内の対応する商品コードの数量のみを加算して記憶する（Ａｃｔ６０６）。
【００２７】
Ａｃｔ６０６にて、ＣＰＵ４１は、小計キーが入力されたことを検出した場合（Ａｃｔ６０６のＹ）、売上取引テーブル４３２に記憶されている商品の単価、数量をもとに一取引における取引合計金額を取得する（Ａｃｔ６０７）。次に、ＣＰＵ４１は、Ａｃｔ６０７にて取得した一取引の取引合計金額と売上取引テーブル４３２に記憶されている一取引における販売商品の商品データ、商品名称、単価、部門をＲＡＭ４３に形成された第１レシートバッファに格納する（Ａｃｔ６０８）。
【００２８】
次にＣＰＵ４１は、特定商品テーブル４３３に商品データが記憶されているか否かを判断する（Ａｃｔ６０９）。特定商品テーブル４３３に商品データが記憶されている場合（Ａｃｔ６０９のＹ）、この特定商品テーブル４３３に記憶されている全商品に対して現在日時から消費期限が近い順にソートを実行する（Ａｃｔ６１０）。
【００２９】
次に、ＣＰＵ４１は、特定商品テーブル４３３に記憶されている商品コード、商品名称等の商品データを第２レシートバッファに格納する（Ａｃｔ６１１）。
【００３０】
ＣＰＵ４１は、キーボードを介して所定の預かり金額が置数されることを待機する（Ａｃｔ６１２）。そして、所定の預かり金額が置数された場合（Ａｃｔ６１２のＹ）、「現／預キー」が入力されることを待機する（Ａｃｔ６１３）。ＣＰＵ４１は、「現／預キー」が入力されたことを検出すると（Ａｃｔ６１３のＹ）、預かり金額から取引合計金額を減算して釣銭額を算出し、当該釣銭額をオペレータ用表示器４や客用表示器５に表示させる。
【００３１】
ＣＰＵ４１は、Ａｃｔ６１１にて「現／預キー」が入力されたことを検出して、預かり金額、釣銭額、取引日時、購入点数などのデータを第１レシートバッファに格納する（Ａｃｔ６１４）。
【００３２】
次に、ＣＰＵ４１は、第１レシートバッファに格納されたデータをプリンタ６に出力して第１レシートの印字を実行する（Ａｃｔ６１５）。ここで、第１レシートは、図７に示す一取引にかかる各売上商品、売上点数、売上合計金額、預かり金、釣銭額、がそれぞれ印字されたレシートである。
【００３３】
ＣＰＵ４１は、第２レシートバッファが形成されているか否かを判断し、（Ａｃｔ６１６）第２レシートバッファが形成されている場合（Ａｃｔ６１６のＹ）、第２レシートバッファに格納されたデータをプリンタ６に出力して第２レシートの印字を実行する（Ａｃｔ６１７）。第２レシートは、特定商品リスト（言い換えると、非常食リスト）となるレシートである。例えば、図８に示すレシート対応にて印字発行されるものであって、当該レシート上には部門「０１」として設定されているインスタント食品の商品Ａが２点、部門「０３」として設定されている缶詰の商品Ｃが５点、部門「０３」として設定されている飲料水の商品Ｄが３点、それぞれ一覧表示されてリスト形式にて印字されることとなる。また、レシート上の各商品には、当該商品に応じた消費期限が商品名に対応して印字されている。また、第２レシートに印字される商品名称が印字される順番は、現在日時から消費期限が近い順に並び替えられたリストが印字される。
【００３４】
一方、第２レシートバッファが形成されていない場合（Ａｃｔ６１６のＹ）、処理を終了する。
【００３５】
上記にて構成された本実施形態の電子式キャッシュレジスタの作用について説明する。ここでは、例えば、客により商品Ａが２点、商品Ｃが５点、商品Ｄが３点、商品Ｅが３点、商品Ｈが１点、それぞれ購入される場合を想定する。店員は、電子式キャッシュレジスタに接続されたバーコードスキャナ又はキーボードの置数により商品に付された商品コードを入力することで商品Ａ、商品Ｃ、商品Ｄ、商品Ｅ、商品Ｈをそれぞれ順番に商品登録を実行する。
【００３６】
店員が商品Ａの商品コードを入力すると売上取引テーブル４３１に商品Ａの商品コード「０００１」、商品名称「商品Ａ」、単価「２５０」、部門「０１」、売上点数「１」、売上金額「２５０」が記憶される。次に、再度、商品Ａの商品コードを入力した場合、売上点数を「１」インクリメントして売上点数を「２」にする。そして、商品Ａの単価「２５０」を加算し、商品Ａの売上金額を「５００」とする。同様に、商品Ｃ、商品Ｄ、商品Ｅ、商品Ｈについても実行することで売上取引テーブル４３１に一取引の購入商品を記憶させる。
【００３７】
また、店員により入力された商品Ａの商品コードは、商品テーブル４３１において、特定商品識別子が“１”として予め設定されていることから、特定商品テーブル４３３にこの商品Ａに関する各種データ（部門、商品コード、数量、消費期限）が記憶される。なお、上記のＲＡＭ４３での説明にあるように部門「０１」は、インスタント食品を示す部門、部門「０２」は、缶詰を示す部門、部門「０４」は、「飲料水」を示す部門である。
【００３８】
同様に商品Ｃ及び商品Ｄについても、商品テーブル４３１において、特定商品識別子が“１”として予め設定されていることから、特定商品テーブル４３３に商品Ｃ、商品Ｄに関するそれぞれの各種データ（部門、商品コード、数量、消費期限）が記憶される。
【００３９】
店員により、客が購入しようとする全ての商品について商品コード読取が終了し商品登録処理が完了すると、店員は小計キーを押し一取引の売上合計金額を算出する。この場合、図４に示す各商品を購入した合計金額「４９８０円」が算出され、オペレータ用表示器４及び客用表示器５に表示される。
【００４０】
店員は、客から例えば「５０００円」の預かり金額を受け取ると、この預かり金額を置数し、「現／預キー」を押して、釣銭額「２０円」を算出し、この釣銭額をオペレータ用表示器４や客用表示器５に表示させる。
【００４１】
そして、電子キャッシュレジスタ１は、一取引にかかる各売上商品、売上点数、売上合計金額、預かり金、釣銭額、がそれぞれ印字された第１レシート（図７参照）を印字発行する。そして、その後、特定商品テーブルに商品データが記憶されている場合は、いわゆる非常食リストとなる第２レシート（図８参照）を印字発行する。
【００４２】
以上、本実施の形態によれば、一取引にかかる各売上商品等の取引明細データが印字された第１レシートが発行された後に、続けて特定商品（例えば、非常食）についてのリストが印字された第２レシートが発行される。したがって、商品を購入した客は、この第２レシートを参照することで客自身が購入した商品のうち非常食に係る商品を容易に把握することができ、非常食の管理を行うことが容易になる。また、当該第２レシートは、非常食に係る商品のみが印字されていることから、この第２レシートをメモ帳に貼り付ける等することで従来、手書きにて手帳等に客が非常食について記入する等して在庫管理を行っていた作業を簡素化することができる
【００４３】
また、第２レシートは、各商品に対応させて消費期限が印字されているので、逐一、商品現物を確認する必要が無く、第２レシートを使って在庫管理を行うことが可能となる。また、第２レシートは、現在日時から消費期限の近い順に並び替えられて印字されることから、この第２レシートを使って在庫管理を行う客にとって、消費期限の管理を行う際に使い勝手が良いものとなる。
【００４４】
また本実施の電子式キャッシュレジスタは、一取引において客が購入した全商品の中に特定商品が含まれるか否かを判定し、一取引において特定商品が含まれる場合に第２レシートを発行し、特定商品が含まれない場合は、第２レシートは発行されない。従って、常に第２レシートが発行されないため、レシート用紙の無駄な消費を防ぐことができる。
【００４５】
なお、本実施の形態では、電子式キャッシュレジスタを例に説明を行ったがこれに限られるものではない。例えば、ＰＯＳ（Ｐｏｉｎｔ  Ｏｆ  Ｓａｌｅ）端末に適用してもよい。
【００４６】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４７】
１  電子式キャッシュレジスタ
２  キーボード
３  モードスイッチ
４  オペレータ用表示器
５  客用表示器
６  プリンタ
４１  ＣＰＵ（ハンディターミナル）
４２  ＲＯＭ
４３  ＲＡＭ
４３１  商品テーブル
４３２  売上取引テーブル
４３３  特定商品テーブル
【図１】
2014067325.tif 000003
【図２】
2014067325.tif 000004
【図３】
2014067325.tif 000005
【図４】
2014067325.tif 000006
【図５】
2014067325.tif 000007
【図６】
2014067325.tif 000008
【図７】
2014067325.tif 000009
【図８】
2014067325.tif 000010